(57)【要約】【課題】簡単な操作で曲を購入可能とする曲購入方法、曲購入システムを提供する。【解決手段】  ユーザに曲を視聴させ購入させる曲購入システムであって、曲を検索するための検索条件が入力される検索条件入力手段と、検索条件に基づき、曲を検索する検索手段と、検索手段により検索された曲を視聴するための視聴リストを生成する視聴リスト生成手段と、視聴リストに基づき、曲を再生する曲再生手段と、曲再生手段が再生した曲を購入することが入力される購入曲入力手段と、購入曲入力手段で入力された曲を示す購入リストを生成する購入リスト生成手段と、購入リストに示される曲を取得する購入曲取得手段とを有する。【選択図】  図１
2006301926.tif 000002
【特許請求の範囲】
【請求項１】
ユーザに曲を視聴させ購入させる曲購入システムであって、
前記曲を検索するための検索条件が入力される検索条件入力手段と、
前記検索条件に基づき、曲を検索する検索手段と、
前記検索手段により検索された曲を視聴するための視聴リストを生成する視聴リスト生成手段と、
前記視聴リストに基づき、曲を再生する曲再生手段と、
前記曲再生手段が再生した曲を購入することが入力される購入曲入力手段と、
前記購入曲入力手段で入力された曲を示す購入リストを生成する購入リスト生成手段と、
前記購入リストに示される曲を取得する購入曲取得手段と
を有することを特徴とする曲購入システム。
【請求項２】
前記検索手段が検索に用いるキーは、アーティスト名、曲名、アルバム名、ジャンルのうちのいずれか１つ以上であることを特徴とする請求項１に記載の曲購入システム。
【請求項３】
前記購入曲入力手段は、前記ユーザの音声が入力されることを特徴とする請求項１または２に記載の曲購入システム。
【請求項４】
前記購入曲入力手段は、ボタンであることを特徴とする請求項１または２に記載の曲購入システム。
【請求項５】
前記曲再生手段が再生するための曲のデータを記録する曲データ記録手段を有し、
前記購入曲取得手段は、前記曲データ記録手段に曲のデータを記録することを特徴とする請求項１から４のいずれか１項に記載の曲購入システム。
【請求項６】
前記購入曲取得手段は、前記曲を再生する権利を取得することを特徴とする請求項１から５のいずれか１項に記載の曲購入システム。
【請求項７】
ユーザに曲を視聴させ購入させる曲購入方法であって、
前記曲を検索するための検索条件が入力される検索条件入力段階と、
前記検索条件に基づき、曲を検索する検索段階と、
前記検索段階で検索された曲を視聴するための視聴リストを生成する視聴リスト生成段階と、
前記視聴リストに基づき、視聴用の曲を再生する曲再生段階と、
前記曲再生段階が再生した曲を購入することが入力される購入曲入力段階と、
前記購入曲入力段階で入力された曲を示す購入リストを生成する購入リスト生成段階と、
前記購入リストに示される曲を取得とする購入曲取得段階と
を有することを特徴とする曲購入方法。
【請求項８】
前記検索段階で検索に用いるキーは、アーティスト名、曲名、アルバム名、ジャンルのうちのいずれか１つ以上であることを特徴とする請求項７に記載の曲購入方法。
【請求項９】
前記購入曲入力段階は、前記ユーザの音声が入力されることを特徴とする請求項７または８に記載の曲購入方法。
【請求項１０】
前記購入曲入力段階では、ボタンにより入力されることを特徴とする請求項７または８に記載の曲購入方法。
【請求項１１】
前記購入曲取得段階は、前記曲再生段階で再生するための曲のデータを記録する曲データ記録手段に曲のデータを記録することを特徴とする請求項７から１０のいずれか１項に記載の曲購入方法。
【請求項１２】
前記購入曲取得段階は、前記曲を再生する権利を取得することを特徴とする請求項７から１１のいずれか１項に記載の曲購入方法。
【発明の詳細な説明】
【技術分野】
【０００１】
本発明は、曲を視聴させ、購入させる曲購入システム、曲購入方法に関する。
【背景技術】
【０００２】
近年、ユーザが曲を購入するには、従来のようなＣＤなどでの購入方法に加え、ユーザがネットワークを介して曲データをダウンロードすることで購入するということが可能となっている。
【０００３】
また、最近の乗用車などの車両においても、ネットワークと接続可能なシステムと、例えばハードディスクを備えるものがあり、その場合、ネットワークを介して曲データをハードディスクにダウンロードすることが可能となっている。
【特許文献１】特表２００３−５２６８０５号公報
【発明の開示】
【発明が解決しようとする課題】
【０００４】
このようなネットワークを介して購入させるというシステムにおいて、ユーザが１曲ごとに視聴して曲を購入するというシステムがある。
【０００５】
しかし、このシステムでは、車両を運転中のユーザは操作制限がされるため、煩雑な操作を伴うものの場合、例えば１曲を視聴するには、そのたびに一旦停止しなければならないなど、使い勝手がよくない。
【０００６】
本発明はこのような問題点に鑑み、簡単な操作で曲を購入可能とする曲購入方法、曲購入システムを提供することを目的とする。
【課題を解決するための手段】
【０００７】
上記課題を解決するために、本発明は、ユーザに曲を視聴させ購入させる曲購入システムであって、前記曲を検索するための検索条件が入力される検索条件入力手段と、前記検索条件に基づき、曲を検索する検索手段と、前記検索手段により検索された曲を視聴するための視聴リストを生成する視聴リスト生成手段と、前記視聴リストに基づき、曲を再生する曲再生手段と、前記曲再生手段が再生した曲を購入することが入力される購入曲入力手段と、前記購入曲入力手段で入力された曲を示す購入リストを生成する購入リスト生成手段と、前記購入リストに示される曲を取得する購入曲取得手段とを有することを特徴とする。
【０００８】
また、上記課題を解決するために、本発明は、前記検索手段が検索に用いるキーは、アーティスト名、曲名、アルバム名、ジャンルのうちのいずれか１つ以上であることを特徴とする。
【０００９】
また、上記課題を解決するために、本発明は、前記購入曲入力手段は、前記ユーザの音声が入力されることを特徴とする。
【００１０】
また、上記課題を解決するために、本発明は、前記購入曲入力手段は、ボタンであることを特徴とする。
【００１１】
また、上記課題を解決するために、本発明は、前記曲再生手段が再生するための曲のデータを記録する曲データ記録手段を有し、前記購入曲取得手段は、前記曲データ記録手段に曲のデータを記録することを特徴とする。
【００１２】
また、上記課題を解決するために、本発明は、前記購入曲取得手段は、前記曲を再生する権利を取得することを特徴とする。
【００１３】
また、上記課題を解決するために、本発明は、ユーザに曲を視聴させ購入させる曲購入方法であって、前記曲を検索するための検索条件が入力される検索条件入力段階と、前記検索条件に基づき、曲を検索する検索段階と、前記検索段階で検索された曲を視聴するための視聴リストを生成する視聴リスト生成段階と、前記視聴リストに基づき、視聴用の曲を再生する曲再生段階と、前記曲再生段階が再生した曲を購入することが入力される購入曲入力段階と、前記購入曲入力段階で入力された曲を示す購入リストを生成する購入リスト生成段階と、前記購入リストに示される曲を取得とする購入曲取得段階とを有することを特徴とする。
【００１４】
また、上記課題を解決するために、本発明は、前記検索段階で検索に用いるキーは、アーティスト名、曲名、アルバム名、ジャンルのうちのいずれか１つ以上であることを特徴とする。
【００１５】
また、上記課題を解決するために、本発明は、前記購入曲入力段階は、前記ユーザの音声が入力されることを特徴とする。
【００１６】
また、上記課題を解決するために、本発明は、前記購入曲入力段階では、ボタンにより入力されることを特徴とする。
【００１７】
また、上記課題を解決するために、本発明は、前記購入曲取得段階は、前記曲再生段階で再生するための曲のデータを記録する曲データ記録手段に曲のデータを記録することを特徴とする。
【００１８】
また、上記課題を解決するために、本発明は、前記購入曲取得段階は、前記曲を再生する権利を取得することを特徴とする。
【発明の効果】
【００１９】
本発明によれば、簡単な操作で曲を購入可能とする曲購入方法、曲購入システムを提供できる。
【発明を実施するための最良の形態】
【００２０】
以下、本発明の実施の形態について図面に基づいて説明する。
【００２１】
図１は、本実施の形態における曲購入システムを示す図である。曲購入システムは、サーバ１２と、車載器１０と、それらを接続するネットワーク１１とで構成される。車載器１０は、車両において曲の再生を行ったり、無線を用いて曲データのダウンロードを行ったりする。無線には例えば携帯電話などが用いられる。サーバ１２は、各種データベース（以下、データベースをＤＢと記す）を有し、検索や後述する視聴リストの生成を行う。
【００２２】
これら車載器１０やサーバ１２は、ＣＰＵ、ＲＡＭ、ＲＯＭ、ハードディスク装置などのハードウェア資源を備え、プログラムに従って処理を実行するものである。
【００２３】
図２を用いて、上記サーバや車載器の詳細について説明する。図２は、曲購入システムのブロック図を示している。そして、この図２は、車載器ブロック３０と、サーバブロック４０とを示すものである。以下、サーバブロック４０、車載器ブロック３０、各ＤＢの順に説明をする。
【００２４】
サーバブロック４０には、視聴リスト生成部４３と、検索部４２と、通信部４１と、曲データ送信部４６と、リストＤＢ４４と、曲ＤＢ４５とが示されている。検索部４２は、車載器１０から送信される検索条件に基づき、曲を検索するものである。視聴リスト生成部４３は、検索部４２により検索された曲を視聴するための視聴リストを生成するものである。曲データ送信部４６は、車載器で再生するための曲データを送信するものである。通信部４１は、ネットワーク１１とのインタフェースである。
【００２５】
次に車載器ブロック３０について説明する。車載器ブロック３０には、購入リスト生成部３１と、検索条件入力部３２と、曲再生部３３と、購入曲入力部３４と、購入曲取得部３５と、曲データ記録部３６と、通信部３７と、購入リストＤＢ３９と、再生曲ＤＢ３８とが示されている。
【００２６】
検索条件入力部３２は、曲を検索するための検索条件が入力されるもので、その検索条件はサーバ１２に送信される。曲再生部３３は、視聴リストに基づき、曲を再生するもので、単なる曲データの再生ももちろん可能である。
【００２７】
購入曲入力部３４は、曲再生部３３が再生した曲を購入することがユーザから入力されるものである。この購入曲入力部３４は、例えば図３に示されるように、ハンドル２１に取り付けられる購入ボタン２０となる。ハンドルに取り付けられた購入ボタンのため、簡単な操作で曲を購入可能とすることができる。また、他の例としては、車両に備えられることが一般的なってきている音声認識によるものであってもよい。この場合、運転中のユーザの声を拾える部分にマイクを設け、ユーザが例えば「こうにゅう」と発音することで、曲を購入可能とするようにしてもよい。
【００２８】
このような購入ボタンの押下や、「こうにゅう」と発音することは車両運転中でも可能である。
【００２９】
購入リスト生成部３１は、購入曲入力部３４で購入することを入力された曲を示す購入リストを生成するものである。購入曲取得部３５は、購入リストに示される曲を取得するものである。なお、購入曲取得部３５は、購入リストに示される曲が既に再生曲ＤＢ３８に存在する場合、曲を再生する権利を取得する。曲データ記録部３６は、曲再生部３３が再生するための曲のデータを記録するもので、視聴リストに記載されている曲や購入した曲の曲データが記録される。通信部３７は、ネットワーク１１とのインタフェースである。
【００３０】
次に、各ＤＢについて説明する。まず、リストＤＢ４４を、図４を用いて説明する。リストＤＢ４４は、曲リストＩＤと、アーティスト名と、曲名と、アルバム名と、ジャンルと、曲ＩＤとを有し、これらを全ての曲に対して有するＤＢである。
【００３１】
曲リストＩＤは、この曲リストＤＢ４４で曲を管理するためのＩＤである。アーティスト名は、アーティストの名称である。アルバム名は、アルバムの名称である。ジャンルは、その曲が属するジャンルを示す。曲ＩＤは、実際の曲データを検索するためのＩＤである。
【００３２】
図４の場合、曲リストＩＤが「０００１」の曲は、アーティスト名が「ジョン・レノ」であり、曲名は、「ＡＬＰＡＲＤ」であり、アルバム名は、アルバム名が存在しないことを示す「ＮＵＬＬ」であり、ジャンルは「シャンソン」であり、曲ＩＤは「００２５」であることが示されている。
【００３３】
アルバムの場合は、曲リストＩＤが「０００２」の曲に示されるように、アルバム名はＮＵＬＬではなく「ＧＵＴＳ」となり、曲名には、「ボクサー、トランスＸ、Ｖ  Ｅｄｉｔｉｏｎ」というように、アルバムに格納されている複数の曲名が示される。
【００３４】
次に、曲ＤＢ４５を、図５を用いて説明する。曲ＤＢ４５は、曲ＩＤと、曲リストＩＤと、曲データとを有するＤＢである。曲ＩＤと曲リストＩＤは、図４で説明したものと同じである。曲データは、再生するための曲データであり、例えばＭＰ３などのデータである。なお、再生曲ＤＢ３８は、この曲ＤＢ４５と同じ構造である。ただし、視聴曲の場合は、曲データが一部のみとなっている場合もある。
【００３５】
次に、購入リストＤＢ３９を、図６を用いて説明する。購入リストＤＢ３９は、曲ＩＤと、購入フラグとを有する。購入フラグは、購入する場合は「１」となり、購入しない場合は「０」となるフラグである。
【００３６】
本実施の形態における曲購入システムの構成は以上のようになっている。次に、具体的な処理内容をフローチャートを用いて説明する。
【００３７】
図７のフローチャートは、ユーザの検索条件の入力から視聴リストが作成されるまでの処理を示すものである。
【００３８】
ステップＳ１０１で、車載器は、ユーザから検索条件が入力される。この検索条件の入力は、例えばナビゲーションシステムに搭載されているボタンや日本語入力機能を用いても良いし、車載器自体にそれらの機能を搭載するようにしてもよい。
【００３９】
ステップＳ１０２は、検索条件による分岐である。検索条件がアーティスト名の場合、ステップＳ１０３で、サーバはアーティスト名による検索を行う。検索条件が曲名またはアルバム名の場合、ステップＳ１０４で、サーバは曲名またはアルバム名による検索を行う。検索条件がジャンルの場合、ステップＳ１０５で、サーバはジャンルによる検索を行う。
【００４０】
検索が一旦終了すると、ステップＳ１０６でサーバは仮視聴リストを生成する。この「仮」とは、検索したものをさらに検索で絞り込むことができるため、最終的な視聴リストであることが確定していないために付けられるものである。
【００４１】
次のステップＳ１０７で、ユーザからさらに検索を実行するかどうかが入力される。さらに検索を実行する場合は、ステップＳ１０１の処理へ戻る。検索を実行しない場合、視聴リストが確定するため、サーバはステップＳ１０８で視聴リストを生成し処理を終了する。
【００４２】
上述したフローチャートにおいて、ステップＳ１０１は、検索条件入力段階に対応する。ステップＳ１０３、１０４、１０５は、検索段階に対応する。ステップＳ１０８は、視聴リスト生成段階に対応する。
【００４３】
次に、図８のフローチャートを用いてユーザが曲を購入する場合の処理について説明する。ステップＳ２０１で、車載器は曲を再生する。この曲の再生は視聴曲リストの順に従うようにしてもよい。
【００４４】
この再生中に、ステップＳ２０２で、ユーザにより例えば購入ボタンが押されたかどうか、または曲の再生が終了したかどうかを車載器は判断している。購入ボタンが押下されると、ステップＳ２０３で、車載器は、購入リストＤＢ（図６参照）の購入フラグを「１」とし、そのまま曲を再生し、処理はステップＳ２０２へ戻る。
【００４５】
ステップＳ２０２で曲が終了と判断されれば、ステップＳ２０４で次曲があるかどうか判断され、次曲がある場合は再びステップＳ２０１の処理に戻り、次曲がない場合は処理が終了する。
【００４６】
また、ステップＳ２０２で、購入でも曲の終了でもないと判断された場合、何もせずに再びステップＳ２０２の判断が行われる。
【００４７】
上述したフローチャートにおいて、ステップＳ２０１は、曲再生段階に対応する。ステップＳ２０２は、購入曲入力段階に対応する。ステップＳ２０３は、購入リスト生成段階に対応する。
【００４８】
次に、購入した曲を取得する処理について、図９のフローチャートを用いて説明する。この処理は、例えば視聴リストの曲の全ての視聴が終了した後に行うようにしてもよい。まず、ユーザに対し、購入に必要な暗証番号の入力を促し、ステップＳ３０１で、ユーザから暗証番号が入力される。暗証番号が正しい場合、ステップＳ３０２で、車載器は、サーバから曲データをダウンロードし、処理を終了する。このステップＳ３０２は、購入曲取得段階に対応する。暗証番号が正しくない場合は、もちろん曲データのダウンロードはできない。
【００４９】
なお、曲の取得は上記フローチャートで示されている処理に限るものではない。例えば、上述したように曲データが予め車載器に存在する場合、曲を再生する権利を取得するようにしてもよい。また、ユーザの自宅のＰＣを利用してサーバからダウンロードし、ＣＤ−Ｒなどのリムーバルメディアを利用して車載器へ曲をコピーするようにしてもよい。この場合、購入リストＤＢの内容は、サーバにアップロードされている。
【図面の簡単な説明】
【００５０】
【図１】本発明の実施の形態における曲購入システムを示す図である。
【図２】曲購入システムのブロック図である。
【図３】購入ボタンを示す図である。
【図４】リストＤＢを示す図である。
【図５】曲ＤＢを示す図である。
【図６】購入リストＤＢを示す図である。
【図７】視聴リストが作成されるまでの処理を示すフローチャートである。
【図８】ユーザが曲を購入する場合の処理を示すフローチャートである。
【図９】購入した曲を取得する処理を示すフローチャートである。
【符号の説明】
【００５１】
１０  車載器
１１  ネットワーク
１２  サーバ
２０  購入ボタン
２１  ハンドル
３０  車載器ブロック
３１  購入リスト生成部
３２  検索条件入力部
３３  曲再生部
３４  購入曲入力部
３５  購入曲取得部
３６  曲データ記録部
３７、４１  通信部
３８  再生曲ＤＢ
３９  購入リストＤＢ
４０  サーバブロック
４２  検索部
４３  視聴リスト生成部
４４  リストＤＢ
４５  曲ＤＢ
４６  曲データ送信部
【図１】
2006301926.tif 000003
【図２】
2006301926.tif 000004
【図３】
2006301926.tif 000005
【図４】
2006301926.tif 000006
【図５】
2006301926.tif 000007
【図６】
2006301926.tif 000008
【図７】
2006301926.tif 000009
【図８】
2006301926.tif 000010
【図９】
2006301926.tif 000011